【手続補正書】
【提出日】平成22年4月28日(2010.4.28)
【手続補正１】
【補正対象書類名】特許請求の範囲
【補正対象項目名】請求項１
【補正方法】変更
【補正の内容】
【請求項１】
ホストコンピュータとのデータ通信を実施して得られる通信データの情報処理を行う装置であって、
前記ホストコンピュータとの間で前記データ通信を行う通信器と、
前記通信データの格納用に設けられた揮発性メモリと、
前記通信器の通信処理、および前記揮発性メモリに格納される前記通信データの情報処理を制御する第１制御器（ＣＰＵ）と、
前記第１制御器のプログラムがあらかじめ格納された第１ＲＯＭメモリと、
前記装置の全体を制御する第２制御器（ＣＰＵ）と、
前記第２制御器の全体プログラムの格納用に設けられた不揮発性メモリと、
前記第２制御器の別の実行可能なプログラムがあらかじめ格納された第２ＲＯＭメモリと、
前記第２制御器のプログラムの実行開始先を前記不揮発性メモリと前記第２ＲＯＭメモリのいずれにするかの切り換えを操作者が設定可能な外部入力端子と、
を備え、
当該情報処理装置の起動時において、前記外部入力端子の設定に応じて実行開始先を切り換える、
ことを特徴とする情報処理装置。
【手続補正２】
【補正対象書類名】特許請求の範囲
【補正対象項目名】請求項４
【補正方法】変更
【補正の内容】
【請求項４】
ホストコンピュータとのデータ通信を実施して得られる通信データの情報処理を行う装置であって、
前記ホストコンピュータとの間で前記データ通信を行う通信器と、
前記通信データの格納用に設けられた揮発性メモリと、
前記通信器の通信処理、および前記揮発性メモリに格納される前記通信データの情報処理を制御する第１制御器（ＣＰＵ）と、
前記第１制御器のプログラムがあらかじめ格納されたＲＯＭメモリと、
前記装置の全体を制御する第２制御器（ＣＰＵ）と、
前記第２制御器の全体プログラムの格納用に設けられた不揮発性メモリと、
前記第２制御器のリセット（実行開始）時にプログラムの実行開始先を前記不揮発性メモリと前記揮発性メモリのいずれにするかの切り換えを前記第１制御器のプログラムで設定可能な第１レジスタと、
前記第２制御器の実行開始指令を前記第１制御器のプログラムで設定可能な第２レジスタと、
を備え、
前記ＲＯＭメモリにあらかじめ前記第２制御器で実行可能なプログラムを組み込んでおき、
前記第１制御器と前記第２制御器で共用可能な前記揮発性メモリに前記第２制御器で実行可能なプログラムを格納（コピー）し、
前記第１制御器は、前記第１レジスタの設定を切り換え、前記第２レジスタを設定して前記第２制御器を実行開始させる、
ことを特徴とする情報処理装置。
【手続補正３】
【補正対象書類名】特許請求の範囲
【補正対象項目名】請求項６
【補正方法】変更
【補正の内容】
【請求項６】
ホストコンピュータとのデータ通信を実施して得られる通信データの情報処理を行う装置であって、
前記ホストコンピュータとの間で前記データ通信を行う通信器と、
前記通信データの格納用に設けられた揮発性メモリと、
前記通信器の通信処理、および前記揮発性メモリに格納される前記通信データの情報処理を制御する第１制御器（ＣＰＵ）と、
前記第１制御器のプログラムがあらかじめ格納された第１ＲＯＭメモリと、
前記装置の全体を制御する第２制御器（ＣＰＵ）と、
前記第２制御器の全体プログラムの格納用に設けられた不揮発性メモリと、
前記第２制御器の別の実行可能なプログラムがあらかじめ格納された第２ＲＯＭメモリと、
前記第２制御器のリセット時にプログラムの実行開始先を前記不揮発性メモリと前記第２ＲＯＭメモリのいずれにするかの切り換えを前記第１制御器のプログラムで設定可能なレジスタと、
を備え、
前記第１制御器と前記第２制御器で共用可能な前記揮発性メモリに前記第２制御器の動作状態を示す情報を設定し、
前記第１制御器が前記第２制御器の動作状態を示す情報を読み取ることによって前記第２制御器の動作状態を監視できるようにし、
前記第１制御器が前記第２制御器の動作状態に応じて、前記レジスタの設定を切り換え、前記第２制御器をリセットし、前記第２制御器の実行開始先を切り換える、
ことを特徴とする情報処理装置。
【手続補正４】
【補正対象書類名】特許請求の範囲
【補正対象項目名】請求項８
【補正方法】変更
【補正の内容】
【請求項８】
ホストコンピュータとのデータ通信を実施して得られる通信データの情報処理を行う装置であって、
前記ホストコンピュータとの間で前記データ通信を行う通信器と、
前記通信データの格納用に設けられた揮発性メモリと、
前記通信器の通信処理、および前記揮発性メモリに格納される前記通信データの情報処理を制御する第１制御器（ＣＰＵ）と、
前記第１制御器のプログラムがあらかじめ格納されたＲＯＭメモリと、
前記装置の全体を制御する第２制御器（ＣＰＵ）と、
前記第２制御器の全体プログラムの格納用に設けられた不揮発性メモリと、
前記第２制御器の全体プログラムの実行を開始するかしないかの切り換えを操作者が設定可能な外部入力端子と、
を備え、
当該情報処理装置の起動時において、前記外部入力端子の設定に応じて前記第２制御器の全体プログラムの実行を開始するかしないかを切り換える、
ことを特徴とする情報処理装置。
【手続補正５】
【補正対象書類名】特許請求の範囲
【補正対象項目名】請求項１１
【補正方法】変更
【補正の内容】
【請求項１１】
ホストコンピュータとのデータ通信を実施して得られる通信データの情報処理を行う装置であって、
前記ホストコンピュータとの間で前記データ通信を行う通信器と、
前記通信データの格納用に設けられた揮発性メモリと、
前記通信器の通信処理、および前記揮発性メモリに格納される前記通信データの情報処理を制御する第１制御器（ＣＰＵ）と、
前記第１制御器のプログラムがあらかじめ格納された第１ＲＯＭメモリと、
前記装置の全体を制御する第２制御器（ＣＰＵ）と、
前記第２制御器の全体プログラムの格納用に設けられた不揮発性メモリと、
前記第１制御器または前記第２制御器の別の実行可能なプログラムがあらかじめ格納された第２ＲＯＭメモリと、
前記第１制御器または前記第２制御器のプログラムの実行開始先を前記第１ＲＯＭメモリと第２ＲＯＭメモリのいずれにするか、または前記不揮発性メモリと前記第２ＲＯＭメモリのいずれにするかの切り換えを操作者が設定可能な第１外部入力端子と、
前記第１制御器または前記第２制御器のプログラムの実行を開始するかしないかの切り換えを操作者が設定可能な第２外部入力端子と、
を備え、
当該情報処理装置の起動時において、前記第１外部入力端子の設定に応じて実行開始先を切り換える、
さらに当該情報処理装置の起動時において、前記第２外部入力端子の設定に応じてプログラムの実行を開始するかしないかを切り換える、
ことを特徴とする情報処理装置。
【手続補正６】
【補正対象書類名】特許請求の範囲
【補正対象項目名】請求項１５
【補正方法】変更
【補正の内容】
【請求項１５】
ホストコンピュータとのデータ通信を実施して得られる通信データを不揮発性メモリに書き込む方法であって、
前記ホストコンピュータとの間で前記データ通信を行う通信器を準備するステップと、
前記通信データの格納用に設けられた揮発性メモリを準備するステップと、
前記通信器の通信処理、および前記揮発性メモリに格納される前記通信データの情報処理を制御する第１制御器（ＣＰＵ）を準備するステップと、
前記第１制御器のプログラムがあらかじめ格納された第１ＲＯＭメモリを準備するステップと、
前記装置の全体を制御する第２制御器（ＣＰＵ）を準備するステップと、
前記第２制御器の全体プログラムの格納用に設けられた不揮発性メモリを準備するステップと、
前記第２制御器の別の実行可能なプログラムがあらかじめ格納された第２ＲＯＭメモリを準備するステップと、
前記第２制御器のプログラムの実行開始先を前記不揮発性メモリと前記第２ＲＯＭメモリのいずれにするかの切り換えを操作者が設定可能な外部入力端子を準備するステップと、
前記外部入力端子の設定に応じて、前記第２制御器のプログラムの実行開始先が前記不揮発性メモリか前記第２ＲＯＭメモリかを判断する第１のステップと、
前記第２制御器のプログラムの実行開始先が前記第２ＲＯＭメモリと判断し、前記第２ＲＯＭメモリに格納された前記不揮発性メモリの別の実行可能なプログラムを実行する第２のステップと、
を含むことを特徴とするデータ書き込み方法。
【手続補正７】
【補正対象書類名】特許請求の範囲
【補正対象項目名】請求項１８
【補正方法】変更
【補正の内容】
【請求項１８】
ホストコンピュータとのデータ通信を実施して得られる通信データを不揮発性メモリに書き込む方法であって、
前記ホストコンピュータとの間で前記データ通信を行う通信器を準備するステップと、
前記通信データの格納用に設けられた揮発性メモリを準備するステップと、
前記通信器の通信処理、および前記揮発性メモリに格納される前記通信データの情報処理を制御する第１制御器（ＣＰＵ）を準備するステップと、
前記第１制御器のプログラムがあらかじめ格納されたＲＯＭメモリを準備するステップと、
前記装置の全体を制御する第２制御器（ＣＰＵ）を準備するステップと、
前記第２制御器の全体プログラムの格納用に設けられた不揮発性メモリを準備するステップと、
前記第２制御器のリセット（実行開始）時にプログラムの実行開始先を前記不揮発性メモリと前記揮発性メモリのいずれにするかの切り換えを前記第１制御器のプログラムで設定可能な第１レジスタを準備するステップと、
前記第２制御器の実行開始指令を前記第１制御器のプログラムで設定可能な第２レジスタを準備するステップと、
前記第１制御器が、前記第１ＲＯＭメモリにあらかじめ組み込んでおいた前記第２制御器で実行可能なプログラムを、前記第１制御器と前記第２制御器で共用可能な前記揮発性メモリに格納（コピー）する第１のステップと、
前記第１制御器が、リセット（実行開始）時にプログラムの実行開始先を前記不揮発性メモリと前記揮発性メモリのいずれにするかの切り換えに対し、前記第１制御器のプログラムで設定可能な前記第１レジスタの設定を前記揮発性メモリに切り換える第２のステップと、
前記第１制御器が、前記第２制御器の実行開始指令を前記第１制御器のプログラムで設定可能な前記第２レジスタを設定して前記第２制御器を実行開始させる第３のステップと、
前記第２制御器が、前記揮発性メモリに格納されたプログラムを実行する第４のステップと、
を含むことを特徴とするデータ書き込み方法。
【手続補正８】
【補正対象書類名】特許請求の範囲
【補正対象項目名】請求項２０
【補正方法】変更
【補正の内容】
【請求項２０】
ホストコンピュータとのデータ通信を実施して得られる通信データを不揮発性メモリに書き込む方法であって、
前記ホストコンピュータとの間で前記データ通信を行う通信器を準備するステップと、
前記通信データの格納用に設けられた揮発性メモリを準備するステップと、
前記通信器の通信処理、および前記揮発性メモリに格納される前記通信データの情報処理を制御する第１制御器（ＣＰＵ）を準備するステップと、
前記第１制御器のプログラムがあらかじめ格納された第１ＲＯＭメモリを準備するステップと、
前記装置の全体を制御する第２制御器（ＣＰＵ）を準備するステップと、
前記第２制御器の全体プログラムの格納用に設けられた不揮発性メモリを準備するステップと、
前記第２制御器の別の実行可能なプログラムがあらかじめ格納された第２ＲＯＭメモリを準備するステップと、
前記第２制御器のリセット時にプログラムの実行開始先を前記不揮発性メモリと前記第２ＲＯＭメモリのいずれにするかの切り換えを前記第１制御器のプログラムで設定可能なレジスタを準備するステップと、
前記第１制御器が、前記第１制御器と前記第２制御器で共用可能な前記揮発性メモリに設定された前記第２制御器の動作状態を示す情報を読み取ることによって前記第２制御器の動作状態を監視する第１のステップと、
前記第１制御器が、前記第２制御器の動作状態を判断する第２のステップと、
前記第１制御器が、前記第２制御器が暴走状態と判断した場合に、前記第２制御器のリセット時にプログラムの実行開始先を前記不揮発性メモリと前記第２ＲＯＭメモリのいずれにするかの切り換えを前記第１制御器のプログラムで設定可能な前記レジスタの設定を前記第２ＲＯＭメモリに切り換える第３のステップと、
前記第１制御器が、前記第２制御器をリセットする第４のステップと、
前記第２制御器が、前記第２ＲＯＭメモリに格納されたプログラムを実行する第５のステップと、
を含むことを特徴とするデータ書き込み方法。
【手続補正９】
【補正対象書類名】特許請求の範囲
【補正対象項目名】請求項２２
【補正方法】変更
【補正の内容】
【請求項２２】
ホストコンピュータとのデータ通信を実施して得られる通信データを不揮発性メモリに書き込む方法であって、
前記ホストコンピュータとの間で前記データ通信を行う通信器を準備するステップと、
前記通信データの格納用に設けられた揮発性メモリを準備するステップと、
前記通信器の通信処理、および前記揮発性メモリに格納される前記通信データの情報処理を制御する第１制御器（ＣＰＵ）を準備するステップと、
前記第１制御器のプログラムがあらかじめ格納されたＲＯＭメモリを準備するステップと、
前記装置の全体を制御する第２制御器（ＣＰＵ）を準備するステップと、
前記第２制御器の全体プログラムの格納用に設けられた不揮発性メモリを準備するステップと、
前記第２制御器の全体プログラムの実行を開始するかしないかの切り換えを操作者が設定可能な外部入力端子を準備するステップと、
前記外部入力端子の設定により、前記第２制御器の全体プログラムの実行を開始しないようにする第１のステップと、
前記ＲＯＭメモリに格納されたプログラムを実行する第２のステップと、
を含むことを特徴とするデータ書き込み方法。
【手続補正１０】
【補正対象書類名】特許請求の範囲
【補正対象項目名】請求項２５
【補正方法】変更
【補正の内容】
【請求項２５】
ホストコンピュータとのデータ通信を実施して得られる通信データを不揮発性メモリに書き込む方法であって、
前記ホストコンピュータとの間で前記データ通信を行う通信器を準備するステップと、
前記通信データの格納用に設けられた揮発性メモリを準備するステップと、
前記通信器の通信処理、および前記揮発性メモリに格納される前記通信データの情報処理を制御する第１制御器（ＣＰＵ）を準備するステップと、
前記第１制御器のプログラムがあらかじめ格納された第１ＲＯＭメモリを準備するステップと、
前記装置の全体を制御する第２制御器（ＣＰＵ）を準備するステップと、
前記第２制御器の全体プログラムの格納用に設けられた不揮発性メモリを準備するステップと、
前記第１制御器または前記第２制御器の別の実行可能なプログラムがあらかじめ格納された第２ＲＯＭメモリを準備するステップと、
前記第１制御器または前記第２制御器のプログラムの実行開始先を前記第１ＲＯＭメモリと第２ＲＯＭメモリのいずれにするか、または前記不揮発性メモリと前記第２ＲＯＭメモリのいずれにするかの切り換えを操作者が設定可能な第１外部入力端子を準備するステップと、
前記第１制御器または前記第２制御器のプログラムの実行を開始するかしないかの切り換えを操作者が設定可能な第２外部入力端子を準備するステップと、
前記第２外部入力端子の設定により、前記第１制御器のプログラムの実行を開始しないようにする第１のステップと、
前記第１外部入力端子の設定により、前記第２制御器の実行開始先が前記不揮発性メモリか前記第２ＲＯＭメモリかを判断する第２のステップと、
前記第２制御器の実行開始先が前記第２ＲＯＭメモリと判断すると、前記第２ＲＯＭメモリに格納されたプログラムを実行する第３のステップと、
を含むことを特徴とするデータ書き込み方法。
【手続補正１１】
【補正対象書類名】特許請求の範囲
【補正対象項目名】請求項２７
【補正方法】変更
【補正の内容】
【請求項２７】
ホストコンピュータとのデータ通信を実施して得られる通信データの情報処理を行う装置であって、
前記ホストコンピュータとの間で前記データ通信を行う通信器と、
前記通信データの格納用に設けられた揮発性メモリと、
前記通信器の通信処理、および前記揮発性メモリに格納される前記通信データの情報処理を含む装置全体を制御する制御器（ＣＰＵ）と、
前記制御器の全体プログラムの格納用に設けられた不揮発性メモリと、
前記制御器の別の実行可能なプログラムがあらかじめ格納されたＲＯＭメモリと、
前記制御器のプログラムの実行開始先を前記不揮発性メモリと前記ＲＯＭメモリのいずれにするかの切り換えを操作者が設定可能な外部入力端子と、
を備え、
当該情報処理装置の起動時において、前記外部入力端子の設定に応じて実行開始先を切り換える、
ことを特徴とする情報処理装置。
【手続補正１２】
【補正対象書類名】明細書
【補正対象項目名】００１９
【補正方法】変更
【補正の内容】
【００１９】
前記従来の課題を解決するために、本発明は、ホストコンピュータとのデータ通信を実施して得られる通信データの情報処理を行う情報処理装置において次のように構成する。
【手続補正１３】
【補正対象書類名】明細書
【補正対象項目名】００２１
【補正方法】変更
【補正の内容】
【００２１】
（第２ＣＰＵから起動する場合）
この情報処理装置は、前記ホストコンピュータとの間で前記データ通信を行う通信器と、前記通信データの格納用に設けられた揮発性メモリと、前記通信器の通信処理、および前記揮発性メモリに格納される前記通信データの情報処理を制御する第１制御器（ＣＰＵ）と、前記第１制御器のプログラムがあらかじめ格納された第１ＲＯＭメモリと、前記装置の全体を制御する第２制御器（ＣＰＵ）と、前記第２制御器の全体プログラムの格納用に設けられた不揮発性メモリと、前記第２制御器の別の実行可能なプログラムがあらかじめ格納された第２ＲＯＭメモリと、前記第２制御器のプログラムの実行開始先を不揮発性メモリと第２ＲＯＭメモリのいずれにするかの切り換えを操作者が設定可能な外部入力端子とを備える。
【手続補正１４】
【補正対象書類名】明細書
【補正対象項目名】００２８
【補正方法】変更
【補正の内容】
【００２８】
（第１ＣＰＵから起動する場合）
この情報処理装置は、前記ホストコンピュータとの間で前記データ通信を行う通信器と、前記通信データの格納用に設けられた揮発性メモリと、前記通信器の通信処理、および前記揮発性メモリに格納される前記通信データの情報処理を制御する第１制御器（ＣＰＵ）と、前記第１制御器のプログラムがあらかじめ格納されたＲＯＭメモリと、前記装置の全体を制御する第２制御器（ＣＰＵ）と、前記第２制御器の全体プログラムの格納用に設けられた不揮発性メモリと、前記第２制御器のリセット（実行開始）時にプログラムの実行開始先を前記不揮発性メモリと前記揮発性メモリのいずれにするかの切り換えを前記第１制御器のプログラムで設定可能な第１レジスタと、前記第２制御器の実行開始指令を前記第１制御器のプログラムで設定可能な第２レジスタとを備える。
【手続補正１５】
【補正対象書類名】明細書
【補正対象項目名】００３４
【補正方法】変更
【補正の内容】
【００３４】
（第１ＣＰＵと第２ＣＰＵが同時に起動する場合）
この情報処理装置は、前記ホストコンピュータとの間で前記データ通信を行う通信器と、前記通信データの格納用に設けられた揮発性メモリと、前記通信器の通信処理、および前記揮発性メモリに格納される前記通信データの情報処理を制御する第１制御器（ＣＰＵ）と、前記第１制御器のプログラムがあらかじめ格納された第１ＲＯＭメモリと、前記装置の全体を制御する第２制御器（ＣＰＵ）と、前記第２制御器の全体プログラムの格納用に設けられた不揮発性メモリと、前記第２制御器の別の実行可能なプログラムがあらかじめ格納された第２ＲＯＭメモリと、前記第２制御器のリセット時にプログラムの実行開始先を前記不揮発性メモリと前記第２ＲＯＭメモリのいずれにするかの切り換えを前記第１制御器のプログラムで設定可能なレジスタとを備える。
【手続補正１６】
【補正対象書類名】明細書
【補正対象項目名】００４１
【補正方法】変更
【補正の内容】
【００４１】
また、この情報処理装置は、前記ホストコンピュータとの間で前記データ通信を行う通信器と、前記通信データの格納用に設けられた揮発性メモリと、前記通信器の通信処理、および前記揮発性メモリに格納される前記通信データの情報処理を制御する第１制御器（ＣＰＵ）と、前記第１制御器のプログラムがあらかじめ格納されたＲＯＭメモリと、前記装置の全体を制御する第２制御器（ＣＰＵ）と、前記第２制御器の全体プログラムの格納用に設けられた不揮発性メモリとを備える。
【手続補正１７】
【補正対象書類名】明細書
【補正対象項目名】００４８
【補正方法】変更
【補正の内容】
【００４８】
（第１ＣＰＵと第２ＣＰＵのプログラムがいずれも未格納もしくは格納されているもののその動作が不完全な状態の場合）
この情報処理装置において、前記ホストコンピュータとの間で前記データ通信を行う通信器と、前記通信データの格納用に設けられた揮発性メモリと、前記通信器の通信処理、および前記揮発性メモリに格納される前記通信データの情報処理を制御する第１制御器（ＣＰＵ）と、前記第１制御器のプログラムがあらかじめ格納された第１ＲＯＭメモリと、前記装置の全体を制御する第２制御器（ＣＰＵ）と、前記第２制御器の全体プログラムの格納用に設けられた不揮発性メモリと、前記第１制御器１または前記第２制御器の別の実行可能なプログラムがあらかじめ格納された第２ＲＯＭメモリと、前記第１制御器または前記第２制御器のプログラムの実行開始先を前記第１ＲＯＭメモリと第２ＲＯＭメモリのいずれにするか、または前記不揮発性メモリと前記第２ＲＯＭメモリのいずれにするかの切り換えを操作者が設定可能な第１外部入力端子と、前記第１制御器または前記第２制御器のプログラムの実行を開始するかしないかの切り換えを操作者が設定可能な第２外部入力端子とを備える。
【手続補正１８】
【補正対象書類名】明細書
【補正対象項目名】００６３
【補正方法】変更
【補正の内容】
【００６３】
（第２ＣＰＵから起動する場合）
このデータ書き込み方法において、前記ホストコンピュータとの間で前記データ通信を行う通信器を準備するステップと、前記通信データの格納用に設けられた揮発性メモリを準備するステップと、前記通信器の通信処理、および前記揮発性メモリに格納される前記通信データの情報処理を制御する第１制御器（ＣＰＵ）を準備するステップと、前記第１制御器のプログラムがあらかじめ格納された第１ＲＯＭメモリを準備するステップと、前記装置の全体を制御する第２制御器（ＣＰＵ）を準備するステップと、前記第２制御器の全体プログラムの格納用に設けられた不揮発性メモリを準備するステップと、前記第２制御器の別の実行可能なプログラムがあらかじめ格納された第２ＲＯＭメモリを準備するステップと、前記第２制御器のプログラムの実行開始先を前記不揮発性メモリと前記第２ＲＯＭメモリのいずれにするかの切り換えを操作者が設定可能な外部入力端子を準備するステップと、前記外部入力端子の設定に応じて、前記第２制御器のプログラムの実行開始先が前記不揮発性メモリか前記第２ＲＯＭメモリかを判断する第１のステップと、前記第２制御器のプログラムの実行開始先が前記第２ＲＯＭメモリと判断し、前記第２ＲＯＭメモリに格納された前記不揮発性メモリの別の実行可能なプログラムを実行する第２のステップとを含む。
【手続補正１９】
【補正対象書類名】明細書
【補正対象項目名】００６７
【補正方法】変更
【補正の内容】
【００６７】
（第１ＣＰＵから起動する場合）
このデータ書き込み方法において、前記ホストコンピュータとの間で前記データ通信を行う通信器を準備するステップと、前記通信データの格納用に設けられた揮発性メモリを準備するステップと、前記通信器の通信処理、および前記揮発性メモリに格納される前記通信データの情報処理を制御する第１制御器（ＣＰＵ）を準備するステップと、前記第１制御器のプログラムがあらかじめ格納されたＲＯＭメモリを準備するステップと、前記装置の全体を制御する第２制御器（ＣＰＵ）を準備するステップと、前記第２制御器の全体プログラムの格納用に設けられた不揮発性メモリを準備するステップと、前記第２制御器のリセット（実行開始）時にプログラムの実行開始先を前記不揮発性メモリと前記揮発性メモリのいずれにするかの切り換えを前記第１制御器のプログラムで設定可能な第１レジスタを準備するステップと、前記第２制御器の実行開始指令を前記第１制御器のプログラムで設定可能な第２レジスタを準備するステップと、前記第１制御器が、前記第１ＲＯＭメモリにあらかじめ組み込んでおいた前記第２制御器で実行可能なプログラムを、前記第１制御器と前記第２制御器で共用可能な前記揮発性メモリに格納（コピー）する第１のステップと、前記第１制御器が、リセット（実行開始）時にプログラムの実行開始先を前記不揮発性メモリと前記揮発性メモリのいずれにするかの切り換えに対し、前記第１制御器のプログラムで設定可能な前記第１レジスタの設定を前記揮発性メモリに切り換える第２のステップと、前記第１制御器が、前記第２制御器の実行開始指令を前記第１制御器のプログラムで設定可能な前記第２レジスタを設定して前２制御器を実行開始させる第３のステップと、前記第２制御器が、前記揮発性メモリに格納されたプログラムを実行する第４のステップとを含む。
【手続補正２０】
【補正対象書類名】明細書
【補正対象項目名】００７０
【補正方法】変更
【補正の内容】
【００７０】
（第１ＣＰＵと第２ＣＰＵが同時に起動する場合）
このデータ書き込み方法において、前記ホストコンピュータとの間で前記データ通信を行う通信器を準備するステップと、前記通信データの格納用に設けられた揮発性メモリを準備するステップと、前記通信器の通信処理、および前記揮発性メモリに格納される前記通信データの情報処理を制御する第１制御器（ＣＰＵ）を準備するステップと、前記第１制御器のプログラムがあらかじめ格納された第１ＲＯＭメモリを準備するステップと、前記装置の全体を制御する第２制御器（ＣＰＵ）を準備するステップと、前記第２制御器の全体プログラムの格納用に設けられた不揮発性メモリを準備するステップと、前記第２制御器の別の実行可能なプログラムがあらかじめ格納された第２ＲＯＭメモリを準備するステップと、前記第２制御器のリセット時にプログラムの実行開始先を前記不揮発性メモリと前記第２ＲＯＭメモリのいずれにするかの切り換えを前記第１制御器のプログラムで設定可能なレジスタを準備するステップと、前記第１制御器が、前記第１制御器と前記第２制御器で共用可能な前記揮発性メモリに設定された前記第２制御器の動作状態を示す情報を読み取ることによって前記第２制御器の動作状態を監視する第１のステップと、前記第１制御器が、前記第２制御器の動作状態を判断する第２のステップと、前記第１制御器が、前記第２制御器が暴走状態と判断した場合に、前記第２制御器のリセット時にプログラムの実行開始先を前記不揮発性メモリと前記第２ＲＯＭメモリのいずれにするかの切り換えを前記第１制御器のプログラムで設定可能な前記レジスタの設定を前記第２ＲＯＭメモリに切り換える第３のステップと、前記第１制御器が、前記第２制御器をリセットする第４のステップと、前記第２制御器が、前記第２ＲＯＭメモリに格納されたプログラムを実行する第５のステップとを含む。
【手続補正２１】
【補正対象書類名】明細書
【補正対象項目名】００７３
【補正方法】変更
【補正の内容】
【００７３】
また、このデータ書き込み方法において、前記ホストコンピュータとの間で前記データ通信を行う通信器を準備するステップと、前記通信データの格納用に設けられた揮発性メモリを準備するステップと、前記通信器の通信処理、および前記揮発性メモリに格納される前記通信データの情報処理を制御する第１制御器（ＣＰＵ）を準備するステップと、前記第１制御器のプログラムがあらかじめ格納されたＲＯＭメモリを準備するステップと、前記装置の全体を制御する第２制御器（ＣＰＵ）を準備するステップと、前記第２制御器の全体プログラムの格納用に設けられた不揮発性メモリを準備するステップと、前記第２制御器の全体プログラムの実行を開始するかしないかの切り換えを操作者が設定可能な外部入力端子を準備するステップと、前記外部入力端子の設定により、前記第２制御器の全体プログラムの実行を開始しないようにする第１のステップと、前記ＲＯＭメモリに格納されたプログラムを実行する第２のステップとを含む。
【手続補正２２】
【補正対象書類名】明細書
【補正対象項目名】００７７
【補正方法】変更
【補正の内容】
【００７７】
（第１ＣＰＵと第２ＣＰＵのプログラムがいずれも未格納もしくは格納されているもののその動作が不完全な状態の場合）
このデータ書き込み方法において、前記ホストコンピュータとの間で前記データ通信を行う通信器を準備するステップと、前記通信データの格納用に設けられた揮発性メモリを準備するステップと、前記通信器の通信処理、および前記揮発性メモリに格納される前記通信データの情報処理を制御する第１制御器（ＣＰＵ）を準備するステップと、前記第１制御器のプログラムがあらかじめ格納された第１ＲＯＭメモリを準備するステップと、前記装置の全体を制御する第２制御器（ＣＰＵ）を準備するステップと、前記第２制御器の全体プログラムの格納用に設けられた不揮発性メモリを準備するステップと、前記第１制御器または前記第２制御器の別の実行可能なプログラムがあらかじめ格納された第２ＲＯＭメモリを準備するステップと、前記第１制御器または前記第２制御器のプログラムの実行開始先を前記第１ＲＯＭメモリと第２ＲＯＭメモリのいずれにするか、または前記不揮発性メモリと前記第２ＲＯＭメモリのいずれにするかの切り換えを操作者が設定可能な第１外部入力端子を準備するステップと、前記第１制御器または前記第２制御器のプログラムの実行を開始するかしないかの切り換えを操作者が設定可能な第２外部入力端子を準備するステップと、前記第２外部入力端子の設定により、前記第１制御器のプログラムの実行を開始しないようにする第１のステップと、前記第１外部入力端子の設定により、前記第２制御器の実行開始先が前記不揮発性メモリか前記第２ＲＯＭメモリかを判断する第２のステップと、前記第２制御器の実行開始先が前記第２ＲＯＭメモリと判断すると、前記第２ＲＯＭメモリに格納されたプログラムを実行する第３のステップとを含む。